(57)【要約】【課題】撮像装置に用いる電源部を安価に製造でき、且つその電源ラインに接続されている電子部品の鳴き現象を目立たなくことができる撮像装置及びその音声付き動画記録方法、並びにプログラムを提供する。【解決手段】デジタルカメラ１００は、動画撮影の間フィールド信号を出力する撮像部１４及び外部の音声を録音するマイク１５５ｔｐ、フィールド信号出力用の駆動パルスを生成するタイミング発生回路１８と、駆動パルス生成用の電力供給を制御する電源制御部８０と、カメラ全体を制御するシステム制御回路５０とを備える。システム制御回路５０は、水平ライン出力用の駆動パルスＨ１，Ｈ２の駆動を制御するＨＤ周期を周期毎に可変させる。【選択図】図１
2009071426.tif 000002
【特許請求の範囲】
【請求項１】
動画撮影の間、フレームレートに従ってその結像面に電荷を蓄積し、その蓄積された電荷を水平ライン及び垂直ラインからなる複数のフィールド信号に分割して出力する撮像部と、前記動画撮影の間、外部の音声を録音する音声録音部と、前記フィールド信号の出力を行うための駆動パルスを生成するパルス生成部と、前記パルス生成のための駆動電力の供給を制御する電力供給制御部と、前記駆動パルスの駆動周期を設定する駆動周期設定部とを有する撮像装置において、
前記駆動周期設定部は、前記駆動パルスの駆動周期を周期毎に可変させることを特徴とする撮像装置。
【請求項２】
前記駆動周期が可変させられる駆動パルスは、前記フィールド信号の水平ライン出力用の駆動パルスであることを特徴とする請求項１記載の撮像装置。
【請求項３】
前記駆動周期設定部は、前記駆動パルスの夫々についてその駆動周期を構成する一の期間を可変させることを特徴とする請求項１又は２記載の撮像装置。
【請求項４】
前記駆動周期は、前記撮像部に対する有効画素期間を含み、
前記一の期間は、前記有効画素期間の前後いずれかにおいて設定されることを特徴とする請求項３記載の撮像装置。
【請求項５】
前記一の期間は、前記駆動周期を構成する期間の一つである、前記撮像部のブランキング期間であることを特徴とする請求項３又は４記載の撮像装置。
【請求項６】
前記駆動周期設定部は、前記駆動周期を構成する期間として、可変期間を追加することを特徴とする請求項１又は２記載の撮像装置。
【請求項７】
前記可変期間は、前記撮像部の空転送期間であることを特徴とする請求項６記載の撮像装置。
【請求項８】
動画撮影の間、フレームレートに従ってその結像面に電荷を蓄積し、その蓄積された電荷を水平ライン及び垂直ラインからなる複数のフィールド信号に分割して出力する撮像部と、前記動画撮影の間、外部の音声を録音する音声録音部と、前記フィールド信号の出力を行うための駆動パルスを生成するパルス生成部と、前記パルス生成のための駆動電力の供給を制御する電力供給制御部と、前記駆動パルスの駆動周期を設定する駆動周期設定部とを有する撮像装置の音声付き動画記録方法において、
前記駆動周期設定部で前記駆動パルスの駆動周期が周期毎に可変されることを特徴とする音声付き動画記録方法。
【請求項９】
動画撮影の間、フレームレートに従ってその結像面に電荷を蓄積し、その蓄積された電荷を水平ライン及び垂直ラインからなる複数のフィールド信号に分割して出力する撮像部と、前記動画撮影の間、外部の音声を録音する音声録音部と、前記フィールド信号の出力を行うための駆動パルスを生成するパルス生成部と、前記パルス生成のための駆動電力の供給を制御する電力供給制御部と、前記駆動パルスの駆動周期を設定する駆動周期設定部とを有する撮像装置の音声付き動画記録方法をコンピュータに実行させるプログラムにおいて、前記音声付き動画記録方法は、
前記駆動周期設定部で前記駆動パルスの駆動周期が周期毎に可変されることを特徴とすることを特徴とするプログラム。
【発明の詳細な説明】
【技術分野】
【０００１】
本発明は、撮像装置及びその音声付き動画記録方法、並びにプログラムに関し、特にＣＣＤ等の固体撮像素子で被写体像を撮像する撮像装置及びその音声付き動画記録方法、並びにプログラムに関する。
【背景技術】
【０００２】
近年、固体メモリ素子を有するメモリカードを記録媒体として、ＣＣＤ等の固体撮像素子で撮像した画像を記録および再生するデジタルカメラ等の撮像装置が盛んに開発され、広く普及してきている。
【０００３】
このような普及の背景としては、デジタルカメラで撮影した映像を取り込んで処理できるパーソナルコンピュータ（ＰＣ）の普及と、インターネットなどを利用したデジタル画像情報の需要が高まったことなどが挙げられる。
【０００４】
一方、最近では、デジタルカメラの撮像素子の高画素化、記録媒体となるメモリカードの大容量化、及びデジタルカメラの中枢で画像のデジタル信号処理を担うＩＣ（集積回路）の高密度化、高速化等が進んでいる。このため、近年のデジタルカメラは、静止画サイズの増大と、高速連写機能を持ち、数コマの静止画を動画のように記録することができるようになっている。さらには、静止画を記録する場合より画像サイズは小さくなるものの、テレビジョンさながらのフレームレート（毎秒６０コマ）で動画の記録再生も行えるようになっている。
【０００５】
このように、これまでより記録可能であった静止画を高精細化しただけでなく、動画記録の機能も付加したデジタルカメラが市販され始めており、これが市場のニーズを一層喚起している。
【０００６】
その一方で、民生用ビデオカメラにおいても民生用デジタルフォーマット規格によってデジタル記憶による映像が非常に身近なものとなってきていることから、従来の動画記録の機能の他、静止画記録の機能も併用できるビデオカメラが市販され始めている。
【０００７】
すなわち、静止画記憶を機能の中心とするデジタルスチルカメラと動画記憶を機能の中心とするデジタルビデオカメラとは、それぞれ、静止画記憶と動画記憶の両方を実行することが可能になってきた。このように、静止画記憶と動画記憶の両方を実行する場合の記憶方式としては、従来より、動画用の記憶媒体に、いっしょに静止画を記憶しておくものや、動画用の記憶媒体とは独立して構成される記憶媒体に、静止画のみを記憶するものなどが知られている。
【０００８】
さらに、静止画や動画の撮影に係る解像度や動作スピードは、高画質、高精細などの市場ニーズと相まって、年々、増加しており、これに伴い、デジタルカメラの固体撮像素子を駆動する一連のデジタル信号処理回路の駆動周波数の高速化が急速に進んでいる。
【０００９】
また、最近では、高画質、高精細といった画質の向上に加えて、様々な撮影シーンにおいて、撮影における失敗を防止すべく、シャッター秒時の高速化が進んでいる。左記失敗とは、例えば、スポーツシーンなど動きの速い被写体の撮影の際にうまく被写体に追従ができなかったり、低照明下の室内撮影において撮影時に手ぶれが生じたり場合である。一方、美術館、水族館といったストロボ撮影の禁止されたエリアでの高感度撮影などを可能とするために、静止画や動画の撮影に係る高感度化の要求も、さらに増加の度合いを強めている。
【００１０】
かかる静止画や動画の撮影に係る高感度化の要求に対応するため、近年のデジタルカメラやデジタルビデオカメラには、電源回路としてＤＣＤＣコンバータや積層セラミックコンデンサが用いられている（例えば、特許文献１，２参照）。
【００１１】
図１２は、従来のデジタルカメラの撮像部を概略的に示すブロック図である。
【００１２】
図１２において、デジタルカメラ１０００は、ＣＣＤ５０１と、ＣＣＤ５０１からのＣＣＤ出力信号を処理する撮像回路５０２と、ＡＤ変換器５０３とを備えるアナログ信号処理領域５００と、デジタル信号処理部５０４とを備える。
【００１３】
ＡＤ変換器５０３は、撮像回路５０２で処理されたアナログ撮像信号をデジタル信号に変換する。また、デジタル信号処理部５０４は、デジタル変換された撮像信号を、記憶媒体（不図示）に記憶したり、液晶モニタ（不図示）に表示したりする。
【００１４】
また、デジタルカメラ１０００は、発振回路（ＯＳＣ１）５０５と、タイミング発生器（ＴＧ）５０６と、Ｖドライバ（Ｖｄｒ）５１０と、同期信号発生器（ＳＳＧ）５０７とを備える。さらに、デジタルカメラ１０００は、発振回路（ＯＳＣ２）５０８と、デジタルカメラ１０００全体の動作を制御するためのＣＰＵを含むシステム制御部５０９とを備える。
【００１５】
発振回路５０５はタイミング発生器５０６の動作クロックを供給し、発振回路５０８はシステム制御部５０９の動作クロックを供給する。タイミング発生器５０６は、同期信号発生器５０７より供給された水平同期信号（ＨＤ）および垂直同期信号（ＶＤ）に同期して、ＣＣＤ５０１の駆動パルスをＶドライバ５１０に供給する。Ｖドライバ５１０はその駆動パルスを電圧変換した後にＣＣＤ５０１に供給する。
【００１６】
タイミング発生器５０６は、撮像回路５０２、Ａ／Ｄ変換器５０３、デジタル信号処理部５０４に対して、それぞれ、サンプリングクロック信号を供給し、また、同期信号発生器５０７に対して動作クロック（ＴＧＣＬＫ）を供給する。
【００１７】
一方、同期信号発生器５０７は、水平同期信号（ＨＤ）および垂直同期信号（ＶＤ）を生成してタイミング発生器５０６に供給する。この水平同期信号（ＨＤ）および垂直同期信号（ＶＤ）は、同期信号発生器５０７においてタイミング発生器５０６からの動作クロックを所定数だけ計数することにより生成される。
【００１８】
システム制御部５０９は、同期信号発生器５０７に対して、水平同期信号（ＨＤ）および垂直同期信号（ＶＤ）の発生の有無や、周期設定等を行うとともに、デジタル信号処理部５０４の動作を制御している。
【００１９】
図１３は、図１２における撮像回路５０２の内部構成を詳細に示すブロック図である。
【００２０】
図１３において、撮像回路５０２は、ＣＤＳ（相関２重サンプリング）回路６００、増幅器６０１、及びクランプ回路６０２からなる。
【００２１】
ＣＤＳ回路６００は、ＣＣＤ５０１からＣＣＤ出力信号が転送された時に生じたリセットノイズ成分を除去する。具体的には、ＣＤＳ回路６００は、ＣＣＤ出力信号のうちフィードスルー部のレベルと撮像信号部との差分を求め、これによって１画素周期の相関ノイズ成分を撮像信号から排除するノイズ除去回路により構成される。
【００２２】
増幅器６０１は、ＣＤＳ回路６００を介して出力された撮像信号を、Ａ／Ｄ変換器５０３の入力レンジに合わせて所定の信号レベルに増幅した後に、クランプ回路６０２に供給する。
【００２３】
クランプ回路６０２は、上記増幅された撮像信号について、ＣＣＤ５０１の遮光された画素（ＯＢ）期間が、所定の黒基準値となるように直流電圧レベルの調整を行う。
【００２４】
図１４は、デジタルカメラ１０００を構成する回路間で送受信される主要な信号のタイミングチャートを示す図である。
【００２５】
図１４において、ＣＣＤ５０１からその画素毎に出力されるＣＣＤ出力信号（ＯＳＣ１）の動作周波数の値は、タイミング発生器５０６で生成・供給される駆動パルスによって決定される。例えば、この周波数は３０〜４０ＭＨｚの範囲となるよう設定するのがよい。
【００２６】
また、タイミング発生器５０６は、ＣＣＤ５０１の水平ライン出力用の駆動パルスＨ１，Ｈ２、及びリセットゲート信号ＲＧをＣＣＤ５０１に供給し、ＣＤＳ回路６００から撮像信号を出力させる。
【００２７】
ここで、駆動パルスＨ１，Ｈ２の周波数の値はＣＣＤ出力信号の動作周波数の値に等しく、３０〜４０ＭＨｚという高速クロックで駆動される。また、ＣＣＤ５０１の水平ライン出力の転送路は容量負荷が大きいため、駆動パルスＨ１，Ｈ２を出力するタイミング発生器５０６の電源には、１００ｍＡ程度の電流負荷が発生する。
【００２８】
図１５に示すように、水平ライン出力の際の駆動周波数（以下「水平駆動周波数」という）１５０１は、駆動パルスＨ１，Ｈ２の供給を停止するブランキング期間１５０２と、駆動パルスＨ１，Ｈ２が供給される画素読み出しの期間（ＯＢ期間１５０３＋有効画素期間１５０４）とを１周期とする。
【００２９】
つまり、水平ライン出力によりタイミング発生器５０６の電源に発生する電流負荷１５０５は、駆動パルスＨ１，Ｈ２が出力している間において生じ、上述のように１００ｍＡ程度の大きな負荷変動が１周期毎に発生する。
【００３０】
また、ブランキング期間においては、Ｖドライバ５１０からＣＣＤ５０１の駆動パルスＶが供給され、これによりＣＣＤ５０１の垂直ライン出力が行われる。
【００３１】
ここで、タイミング発生器５０６の電源は、上述したように、ＤＣＤＣコンバータが使用されており、これに用いられるコンデンサは強誘電体セラミックから構成されている。このため、電場をタイミング発生器５０６の電源のコンデンサに印加すると歪みが発生する、いわゆる電歪現象が生じる。かかる電歪現象による歪みは、コンデンサが実装された基板に伝わり共振し、音声ノイズを発生させる。つまり、電源ラインに接続されている電子部品においていわゆる鳴き現象が発生する。
【００３２】
以下、図１６を用いて、上記音声ノイズが発音する原理を具体的に説明する。
【００３３】
図１６（ａ）において、タイミング発生器５０６の電源８００は、電池等から成る供給電源８０１と、供給電源８０１から供給される充電電流８０６の電圧をタイミング発生器５０６に供給するのに最適な値に電圧変換するＤＣＤＣコントローラ８０３とを備える。また、電源８００は、ＤＣＤＣコントローラ８０３によって制御されるスイッチ８０４と、ＤＣＤＣコントローラ８０３で電圧変換された電圧を蓄積平滑し、水平ライン出力をするためのセラミックコンデンサ８０５ａ及び垂直ライン出力するための不図示のコンデンサ８０５ｂを備える。さらに、電源８００は、電流を蓄積しデジタルカメラ１０００に電力８０７を送出するためのインダクタ８０２とを備える。
【００３４】
一方、インダクタ８０２から送出される電力８０７は、タイミング発生器５０６で消費される。
【００３５】
電源８００はＤＣＤＣコントローラ８０３により出力電圧を監視し、予め定められた電圧となるよう制御する。このため、タイミング発生器５０６において消費電流が増加して電圧低下が発生した場合でも、その電圧低下を補って電圧を一定に保つように制御する。つまり、セラミックコンデンサ８０５ａ，８０５ｂに印加される電圧は、変動の大きいタイミング発生器５０６の電流負荷１５０５の変動に主として応答し、例えば、図１６（ｂ）に示す消費電流パターン８０７−１のように変化する。このように、セラミックコンデンサ８０５ａ，８０５ｂにかかる電圧は変化すると、セラミックコンデンサ８０５ａ，８０５ｂは部品単体として膨張収縮（復帰）を繰り返す電歪現象が生じる。このため、セラミックコンデンサ８０５ａ，８０５ｂが表面実装される基板にもその膨張収縮による振動が伝達される。さらに、この伝達された振動が可聴周波数（一般的に５０Ｈｚから２０ＫＨｚ程度）の範囲となると音声ノイズが発生する。
【００３６】
すなわち、上記水平ライン出力用の駆動パルスＨ１，Ｈ２や、垂直ライン出力用の駆動パルスＶの出力により発生する電流負荷１５０５，１５０６が変動すると、電源８００中のセラミックコンデンサ８０５ａ，８０５ｂが振動する。ひいてはセラミックコンデンサ８０５ａ，８０５ｂを表面実装する基板が振動し、これにより、上記電流負荷の変動の周波数に一致した音が発生する。
【００３７】
この発生した音は、以下の図１７に示すように、デジタルカメラ１０００で音声付き動画を記録する際に音声ノイズとして録音されてしまう。以下、説明を簡単にするため、セラミックコンデンサ８０５ａで発生する音声ノイズについてのみ述べる。
【００３８】
図１７はデジタルカメラ１０００による動画撮影処理の際に録音された音声のスペクトラムを示すグラフであり、縦軸は音圧を、横軸は周波数を示す。
【００３９】
上述したように、セラミックコンデンサ８０５ａの電歪現象により振動を励起された基板には、消費電流パターン８０７-１（図１６（ｂ））によって振動が励起される。
【００４０】
図１７に示すように、従来のデジタルカメラによる動画撮影処理の際に録音された音声のスペクトラムは、音声を録音する時の周波数を示した音声録音帯域１７０１と、音声をアナログデジタル変換する際のナイキスト周波数１７０２とを備える。さらに、この音声のスペクトラムは、音声を録音する際のサンプリング周波数１７０３と、消費電流パターン８０７−１により基板が振動し発生する音声ノイズ周波数１７０４とを備える。
【００４１】
音声ノイズ周波数１７０４は、消費電流パターン８０７-１の周期に同期して、セラミックコンデンサ８０５ａの電圧が変化し電歪現象が生じることにより発生する音声ノイズの周波数である。図１６で前述したように、この電歪現象は、主として水平ライン出力の際の電流負荷１５０５の変動により発生している。従って、音声ノイズ周波数１５０４は水平駆動周波数１５０１に一致する。ここで、デジタルカメラ１０００の水平駆動周波数１５０１が３ＫＨｚ、サンプリング周波数１７０３が１０ＫＨｚである場合、サンプリングのナイキスト周波数１７０２は５ＫＨｚとなる。つまり理論的には５ＫＨｚまでの音声周波数を録音可能になる。このとき、音声ノイズ周波数１７０４は水平駆動周波数１５０１と同じ３ＫＨｚとなる。つまり、電歪現象により生じる音声ノイズは、従来のデジタルカメラ１０００で音声付き動画を記録する際に録音されてしまう。
【００４２】
上記音声ノイズの記録を防止するため、音声ノイズ周波数１７０４を可聴帯域から外すべく、水平駆動周波数１５０１を十分に高い周波数（例えば２０ＫＨｚ以上）にシフトさせる方法が知られている。また、セラミックコンデンサ８０５ａの代わりに電圧負荷の変動に対する形状歪みの少ない部品（例えば、圧電、電歪現象がおこりにくいタンタルコンデンサ、高分子コンデンサ等）を使用する方法も知られている。さらには、セラミックコンデンサ８０５ａの基板への実装方法を工夫する方法も知られている（例えば、特許文献３、非特許文献１参照）。
【特許文献１】特開２００５−１０９１５１号公報
【特許文献２】特開平０８−１１５８４３号公報
【特許文献３】特開２００３−３２４０３０号公報
【非特許文献１】村田製作所  記事  “鳴かないチップ積層セラミックコンデンサ：ＧＪ４シリーズについて”
【発明の開示】
【発明が解決しようとする課題】
【００４３】
しかしながら、音声ノイズ周波数１７０４を可聴帯域から外す方法は、デジタルカメラ１０００の水平駆動周波数１５０１が使用デバイスによって予め定められているため採用することができない場合がある。また、電圧負荷の変動に対する形状歪みの少ない、タンタルコンデンサ、高分子コンデンサ等の部品はセラミックコンデンサに比べて一般に高価であるため、かかる部品を使用すると装置全体のコストアップにつながるという問題があった。同様に、実装方法を工夫することによる音声ノイズの記録を防止する方法を採用した場合、実装上の制限が大きく、基板レイアウトなどの自由度や部品選択の自由度がなくなるといった問題があった。
【００４４】
本発明の目的は、撮像装置に用いる電源部を安価に製造でき、且つその電源ラインに接続されている電子部品の鳴き現象を目立たなくことができる撮像装置及びその音声付き動画記録方法、並びにプログラムを提供することにある。
【課題を解決するための手段】
【００４５】
上記目的を達成するために、請求項１記載の撮像装置は、動画撮影の間、フレームレートに従ってその結像面に電荷を蓄積し、その蓄積された電荷を水平ライン及び垂直ラインからなる複数のフィールド信号に分割して出力する撮像部と、前記動画撮影の間、外部の音声を録音する音声録音部と、前記フィールド信号の出力を行うための駆動パルスを生成するパルス生成部と、前記パルス生成のための駆動電力の供給を制御する電力供給制御部と、前記駆動パルスの駆動周期を設定する駆動周期設定部とを有する撮像装置において、前記駆動周期設定部は、前記駆動パルスの駆動周期を周期毎に可変させることを特徴とする。
【００４６】
上記目的を達成するために、請求項８記載の音声付き動画記録方法は、動画撮影の間、フレームレートに従ってその結像面に電荷を蓄積し、その蓄積された電荷を水平ライン及び垂直ラインからなる複数のフィールド信号に分割して出力する撮像部と、前記動画撮影の間、外部の音声を録音する音声録音部と、前記フィールド信号の出力を行うための駆動パルスを生成するパルス生成部と、前記パルス生成のための駆動電力の供給を制御する電力供給制御部と、前記駆動パルスの駆動周期を設定する駆動周期設定部とを有する撮像装置の音声付き動画記録方法において、前記駆動周期設定部で前記駆動パルスの駆動周期が周期毎に可変されることを特徴とする。
【００４７】
上記目的を達成するために、請求項９記載のプログラムは、動画撮影の間、フレームレートに従ってその結像面に電荷を蓄積し、その蓄積された電荷を水平ライン及び垂直ラインからなる複数のフィールド信号に分割して出力する撮像部と、前記動画撮影の間、外部の音声を録音する音声録音部と、前記フィールド信号の出力を行うための駆動パルスを生成するパルス生成部と、前記パルス生成のための駆動電力の供給を制御する電力供給制御部と、前記駆動パルスの駆動周期を設定する駆動周期設定部とを有する撮像装置の音声付き動画記録方法をコンピュータに実行させるプログラムにおいて、前記音声付き動画記録方法は、前記駆動周期設定部で前記駆動パルスの駆動周期が周期毎に可変されることを特徴とすることを特徴とする。
【発明の効果】
【００４８】
請求項１記載の撮像装置、請求項８の音声付き動画記録方法、並びに請求項９のプログラムによれば、動画撮影の間フレームレートに従ってその結像面に蓄積された電荷を水平ライン及び垂直ラインからなる複数のフィールド信号に分割して撮像部から出力するときの出力用の駆動パルスの駆動周期を周期毎に可変させる。これにより、電力供給制御部に強誘電体セラミックから成る安価なコンデンサが含まれていても、電力供給制御部が駆動パルスの生成のための駆動電力の供給を制御する際に生じる電流負荷の変動で上記コンデンサの電歪現象により生じる音声ノイズの周波数を時間領域において分散することができる。すなわち、撮像装置に用いる電源部を安価に製造でき、且つその電源ラインに接続されている電子部品の鳴き現象を目立たなくことができる撮像装置及びその音声付き動画記録方法、並びにプログラムを提供する。
【発明を実施するための最良の形態】
【００４９】
以下、本発明の実施の形態を図面を用いて詳述する。
【００５０】
図１は、本発明の実施の形態に係る撮像装置としてのデジタルカメラを概略的に示すブロック図である。
【００５１】
図１において、デジタルカメラ１００は、レンズ３１０からの光学像を電気信号に変換するアナログ撮像信号領域１５中にある撮像部１４と、絞り機能により撮像部１４への露光量を制御するシャッター１２とを備える。さらに、デジタルカメラ１００は、シャッター１２の絞りを制御するシャッター制御部４０及び測距部４２と、Ｄ／Ａ変換器２６とを備える。
【００５２】
具体的には、レンズ３１０に入射した光線は、絞り３１２、シャッター１２に導光され、被写体像としてＣＣＤ５０１（図１２）等からなる撮像部１４上に結像される。撮像部１４上には予め複数の水平ライン及び垂直ラインが設定されており、露光中に撮像部１４上に結像した被写体像（フレーム画像）はこの水平ライン及び垂直ラインにおいて光電変換され、複数のフィールド信号として出力される。
【００５３】
アナログ撮像信号領域１５には、撮像部１４の他、アナログ信号出力をデジタル信号に変換するＡ／Ｄ変換器１６が存在する。
【００５４】
さらに、デジタルカメラ１００は、メモリ制御回路２２と、デジタルカメラ１００全体を制御するシステム制御回路５０と、システム制御回路５０により制御されるタイミング発生回路１８（パルス生成部）と、画像処理回路２０とを備える。
【００５５】
タイミング発生回路１８は、撮像部１４、Ａ／Ｄ変換器１６、及びＤ／Ａ変換器２６にクロック信号や制御信号を供給する。
【００５６】
画像処理回路２０は、Ａ／Ｄ変換器１６からのデータ或いはメモリ制御回路２２からのデータに対して所定の画素補間処理や色変換処理を行う。
【００５７】
また、画像処理回路２０においては、必要に応じて、撮像した画像データを用いて所定の演算処理を行い、得られた演算結果に基づいてシステム制御回路５０がシャッター制御部４０、測距部４２を制御することによりシャッター１２の絞りが制御される。これにより、ＴＴＬ（スルー・ザ・レンズ）方式のＡＦ（オートフォーカス）処理、ＡＥ（自動露出）処理、ＥＦ（フラッシュ調光）処理を行うことが出来る。
【００５８】
さらに、画像処理回路２０においては、撮像した画像データを用いて所定の演算処理を行い、得られた演算結果に基づいてＴＴＬ方式のＡＷＢ（オートホワイトバランス）処理も行っている。
【００５９】
なお、本実施の形態においては、デジタルカメラ１００は、測距部４２及び測光部４６を有するが、これに限定されるものではない。例えば、デジタルカメラ１００に測距部４２及び測光部４６がない場合は、画像処理回路２０を用いてＡＦ（オートフォーカス）処理、ＡＥ（自動露出）処理の各処理を行うようにしてもよい。また、本実施の形態に係るデジタルカメラ１００のように、測距部４２及び測光部４６を有する場合であっても、上記画像処理回路２０を用いたＡＦ（オートフォーカス）処理、ＡＥ（自動露出）処理の各処理を併用するようにしてもよい。
【００６０】
デジタルカメラ１００は、さらに、メモリ制御回路２２と、画像表示メモリ２４と、メモリ３０と、圧縮・伸長回路３２とを備える。
【００６１】
メモリ制御回路２２は、Ａ／Ｄ変換器１６、タイミング発生回路１８、画像処理回路２０、画像表示メモリ２４、Ｄ／Ａ変換器２６、メモリ３０、圧縮・伸長回路３２を制御する。Ａ／Ｄ変換器１６のデータは、画像処理回路２０及びメモリ制御回路２２を介して、或いはメモリ制御回路２２のみを介して、画像表示メモリ２４或いはメモリ３０に書き込まれる。
【００６２】
デジタルカメラ１００は、また、ＴＦＴやＬＣＤ等から成る画像表示部２８を備える。画像表示部２８は、画像表示メモリ２４に書き込まれた表示用の画像データをＤ／Ａ変換器２６を介して表示する。このように、画像表示部２８を用いて撮像した画像データを逐次表示することで、電子ファインダー機能を実現することが可能である。また、画像表示部２８は、システム制御回路５０の指示により任意に表示をＯＮ／ＯＦＦすることが可能であり、表示をＯＦＦにした場合にはデジタルカメラ１００の電力消費を大幅に低減することが出来る。
【００６３】
メモリ３０は、撮影した静止画像や動画像を格納するためのメモリであり、所定枚数の静止画像や所定時間の動画像を格納するのに十分な記憶量を備えている。これにより、複数枚の静止画像を連続して撮影する連射撮影やパノラマ撮影の場合にも、高速かつ大量の画像書き込みをメモリ３０に対して行うことが可能となる。また、メモリ３０はシステム制御回路５０の作業領域としても使用することが可能である。
【００６４】
圧縮・伸長回路３２は適応離散コサイン変換（ＡＤＣＴ）等により画像データを圧縮伸長する。具体的には、圧縮・伸長回路３２は、メモリ３０に格納された画像を読み込んで圧縮処理或いは伸長処理を行い、処理を終えたデータをメモリ３０に書き込む。
【００６５】
シャッター制御部４０は測光部４６からの測光情報に基づいて、絞り３１２を制御する絞り制御部３４０と連携しながら、シャッター１２を制御する。
【００６６】
測距部４２はＡＦ（オートフォーカス）処理を行う際、レンズ３１０に入射した光線を、絞り３１２、不図示の測距用サブミラーを介して、測距部４２に入射させることにより光学像として結像させ、画像の合焦状態を測定する。
【００６７】
測光部４６はＡＥ（自動露出）処理を行う際、レンズ３１０に入射した光線を、絞り３１２、そして不図示の測光用レンズを介して、測光部４６に入射させることにより光学像として結像させ、画像の露出状態を測定する。
【００６８】
なお、撮像部１４によって撮像した画像データを画像処理回路２０によって演算した演算結果に基づき、システム制御回路５０がシャッター制御部４０、絞り制御部３４０、測距制御部３４２に対して制御を行う。ビデオＴＴＬ方式を用いて露出制御及びＡＦ（オートフォーカス）制御をすることも可能である。
【００６９】
さらに、測距部４２による測定結果と、撮像部１４によって撮像した画像データを画像処理回路２０によって演算した演算結果とを共に用いてＡＦ（オートフォーカス）制御を行っても構わない。
【００７０】
そして、測光部４６による測定結果と、撮像部１４によって撮像した画像データを画像処理回路２０によって演算した演算結果とを共に用いて露出制御を行っても構わない。
【００７１】
さらに、デジタルカメラ１００は、メモリ５２と、表示部５４とを備える。ここで、メモリ５２は、システム制御回路５０の動作用の定数、変数、プログラム等を記憶する。また、表示部５４は、システム制御回路５０でのプログラムの実行に応じて、文字、画像、音声等を用いて動作状態やメッセージ等を表示する液晶表示装置、スピーカ等で構成される。
【００７２】
本実施の形態において、表示部５４はＬＣＤからなり、デジタルカメラ１００の操作部近辺の視認し易い位置に配置される。しかし、デジタルカメラ１００の操作部近辺の視認し易い位置に配置されるものであれば、表示部５４が複数のＬＣＤから構成されるものであってもよい。また、表示部５４は、ＬＣＤ単体でなく、ＬＣＤやＬＥＤ、発音素子等の組み合わせにより構成されていてもよい。
【００７３】
表示部５４の表示内容には、シングルショット／連写撮影表示、セルフタイマー表示、圧縮率表示、記録画素数表示、記録枚数表示、残撮影可能枚数表示、シャッタースピード表示、絞り値表示、露出補正表示、赤目緩和表示、マクロ撮影表示がある。また、表示部５４の表示内容には、ブザー設定表示、時計用電池残量表示、電池残量表示、エラー表示、複数桁の数字による情報表示、記録媒体２００，２１０の着脱状態表示、レンズユニット３００の着脱状態表示、通信Ｉ／Ｆ動作表示、日付・時刻表示がある。さらに、表示部５４の表示内容には、外部コンピュータとの接続状態を示す表示、合焦表示、撮影準備完了表示、手振れ警告表示、フラッシュ充電表示、フラッシュ充電完了表示、シャッタースピード表示、絞り値表示、露出補正表示がある。また、表示部５４の表示内容には、記録媒体書き込み動作表示もある。
【００７４】
さらに、デジタルカメラ１００は、電気的に消去・記録可能なＥＥＰＲＯＭ等からなる不揮発性メモリ５６と、電源スイッチ７２と、リアルタイムクロック回路７４と、電源制御部８０とを備える。
【００７５】
また、デジタルカメラ１００は、モードダイアルスイッチ６０，シャッタースイッチ（ＳＷ１）６２，シャッタースイッチ（ＳＷ２）６４，再生スイッチ６６，及び操作部７０とを備える。これらは、システム制御回路５０の各種の動作指示を入力するスイッチやダイアル、タッチパネル、視線検知によるポインティング、音声認識装置等の単数或いは複数の組み合わせからなる操作手段として用いられる。
【００７６】
モードダイアルスイッチ６０は、通常の静止画撮影モードと動画撮影モードの動作の始動を区別して行うためのモード切替えスイッチである。シャッタースイッチ（ＳＷ１）６２は、不図示のシャッターボタンの操作途中でＯＮとなり、ＡＦ（オートフォーカス）処理、ＡＥ（自動露出）処理、ＡＷＢ（オートホワイトバランス）処理、ＥＦ（フラッシュ調光）処理等の動作開始を指示する。
【００７７】
シャッタースイッチ（ＳＷ２）６４は、不図示のシャッターボタンの操作完了でＯＮとなり、モードダイアルスイッチ６０の状態に応じて、デジタルカメラ１００の撮影動作のモードを移行する。具体的には、モードダイアルスイッチ６０の状態がオフである場合は、静止画撮影動作のモードに移行し、モードダイアルスイッチ６０の状態がオンである場合は、動画撮影動作モードに移行する。次に、各撮影動作モードへの移行後、シャッタースイッチ（ＳＷ２）６４は、撮影処理の動作開始指示を行う。ここで、撮影処理では、以下の一連の処理が行われる。まず、撮像部１２から読み出した信号をＡ／Ｄ変換器１６やメモリ制御回路２２を介してメモリ３０に画像データを書き込む露光処理を行う。さらに、シャッタースイッチ（ＳＷ２）６４は、画像処理回路２０やメモリ制御回路２２での演算を用いた現像処理、メモリ３０から画像データを読み出し、圧縮・伸長回路３２で圧縮を行う。最後に、シャッタースイッチ（ＳＷ２）６４は、メモリカードやハードディスク等の記録媒体２００，２１０に画像データを書き込む記録処理を行う。
【００７８】
再生スイッチ６６は、撮影モード状態において撮影された画像をメモリ３０或いは記録媒体２００，２１０から読み出して画像表示部２８に表示する再生動作の開始を指示する。
【００７９】
操作部７０は各種ボタンやタッチパネル等からなる。具体的には、操作部７０には、メニューボタン、セットボタン、マクロボタン、マルチ画面再生改ページボタン、フラッシュ設定ボタン、単写／連写／セルフタイマー切替えボタン、メニュー移動＋（プラス）ボタン、メニュー移動−（マイナス）ボタンがある。さらに、操作部には、再生画像移動＋（プラス）ボタン、再生画像−（マイナス）ボタン、撮影画質選択ボタン、露出補正ボタン、日付／時間設定ボタンがある。また、操作部には、パノラマモード等の撮影及び再生を実行する際に各種機能の選択及び切り替えを設定する選択／切替えボタン、パノラマモード等の撮影及び再生を実行する際に各種機能の決定及び実行を設定する決定／実行ボタンがある。さらに、操作部には、画像表示部２８のＯＮ／ＯＦＦを設定する画像表示ＯＮ／ＯＦＦスイッチ、撮影直後に撮影した画像データを自動再生するクイックレビュー機能を設定するクイックレビューＯＮ／ＯＦＦスイッチがある。また、操作部には、ＪＰＥＧ圧縮の圧縮率を選択するため或いは撮像部の信号をそのままデジタル化して記録媒体に記録するＣＣＤＲＡＷモードを選択するためのスイッチである圧縮モードスイッチがある。さらに、操作部には、再生モード、マルチ画面再生・消去モード、ＰＣ接続モード等の各機能モードを設定することが出来る再生スイッチがある。
【００８０】
また、操作部には、シャッタースイッチＳＷ１の押下時のＡＦ動作モードをワンショットＡＦモードと、サーボＡＦモードのいずれかに切り替えるＡＦモード設定スイッチがある。ここで、ワンショットＡＦモードとは、シャッタースイッチＳＷ１の押下で開始したＡＦ動作により合焦した後はその合焦状態を維持するモードをいう。また、サーボＡＦモードとは、シャッタースイッチＳＷ１の押下中は連続してＡＦ動作を続けるモードをいう。
【００８１】
本実施の形態では、メニュー移動＋（プラス）ボタン、メニュー移動−（マイナス）ボタン、再生画像移動＋（プラス）ボタン、再生画像−（マイナス）ボタンによりメニューや再生画像の選択を行う。しかし、回転ダイアルスイッチによりメニューや再生画像の選択を行うようにしてもよい。これにより、より軽快にメニューや再生画像の選択することが可能となる。
【００８２】
電源スイッチ７２は、デジタルカメラ１００の電源のオンオフを設定する。電源スイッチ７２により、画デジタルカメラ１００に接続されたレンズユニット３００、外部ストロボ、記録媒体２００，２１０等、デジタルカメラ１００に外付けされる各種装置の電源のオンオフの設定も合わせて行うようにしてもよい。
【００８３】
リアルタイムクロック回路７４は、システム制御回路５０は経過時間を計測し、各種のタイマー機能を実現する。
【００８４】
電源制御部８０（電力供給制御部）は、不図示の電池検出回路、ＤＣ−ＤＣコンバータ、通電するブロックを切り替えるスイッチ回路等により構成される。ここで、電池検出回路は、電池の装着の有無、電池の種類、電池残量の検出を行う。また、電源制御部８０は、その検出結果及びシステム制御回路５０の指示に基づいてＤＣ−ＤＣコンバータを制御し、必要な電圧を必要な期間、記録媒体を含む各部へ供給する。
【００８５】
さらに、デジタルカメラ１００は、コネクタ８２，８４、及びアルカリ電池やリチウム電池等の一次電池やＮｉＣｄ電池やＮｉＭＨ電池、Ｌｉ電池等の二次電池、ＡＣアダプター等からなる電源装置８６を備える。また、デジタルカメラ１００は、メモリカードやハードディスク等の記録媒体とのインタフェース９０，９４、メモリカードやハードディスク等の記録媒体と接続を行うコネクタ９２，９６を備える。さらに、デジタルカメラ１００は、コネクタ９２，９６に記録媒体２００，２１０が装着されているか否かを検知する記録媒体着脱検知部９８を備える。
【００８６】
デジタルカメラ１００は、さらに、ＵＳＢからなる通信部１１０を用いて他の機器と通信可能に接続する接続部１１２とを備える。
【００８７】
通信部１１０は、通信機能を有するものであれば、本実施の形態に限定されるものでなく、例えば、ＲＳ２３２Ｃ、ＩＥＥＥ１３９４、Ｐ１２８４、ＳＣＳＩ、モデム、ＬＡＮ、無線通信等により構成されていてもよい。同様に、接続部１１２は、他の機器と通信可能であればよく、例えば、通信部１１０が有線通信機能を有するものである場合はコネクタで構成され、通信部１１０が無線通信機能を有するものである場合はアンテナで構成される。
【００８８】
デジタルカメラ１００は、さらに、レンズユニット３００と接続するためのインタフェース１２０と、レンズユニット３００と電気的に接続するためのコネクタ１２２と、レンズユニット３００をマウントするレンズマウント１０６とを備える。
【００８９】
記録媒体２００は、半導体メモリや磁気ディスク等から構成される記録部２０２、デジタルカメラ１００とのインタフェース２０４、及びデジタルカメラ１００と接続を行うコネクタ２０６を備える。同様に、記録媒体２１０は、半導体メモリや磁気ディスク等から構成される記録部２１２、デジタルカメラ１００とのインタフェース２１４、及びデジタルカメラ１００と接続を行うコネクタ２１６を備える。
【００９０】
レンズユニット３００は、撮影レンズ３１０、絞り３１２、電気通信でデジタルカメラ１００と接続するためのコネクタ３２２、絞り制御部３４０、及びレンズマウント３０６とを備える。
【００９１】
尚、コネクタ３２２は、電気通信だけでなく、光通信、音声通信等を行う構成としても良い。
【００９２】
絞り制御部３４０は、測光部４６からの測光情報に基づいて、シャッター１２を制御するシャッター制御部４０と連携しながら、絞り３１２を制御する。
【００９３】
レンズマウント３０６は、デジタルカメラ１００側にあるレンズマウント１０６に装着することによりレンズユニット３００の光軸をデジタルカメラ１００の光軸に一致させた状態でマウントする。
【００９４】
レンズユニット３００は、さらに、撮影レンズ３１０のフォーカシングを制御する測距制御部３４２と、撮影レンズ３１０のズーミングを制御するズーム制御部３４４と、レンズユニット３００全体を制御するレンズシステム制御回路３５０とを備える。
【００９５】
レンズシステム制御回路３５０は、動作用の定数、変数、プログラム等を記憶するメモリやレンズユニット３００固有の番号等の識別情報、管理情報、開放絞り値や最小絞り値、焦点距離等の機能情報、現在や過去の各設定値などを保持する不揮発メモリも備える。
【００９６】
デジタルカメラ１００は、さらに、音声を録音するためのマイク１５５（音声録音部）、録音された音声、もしくはあらかじめ装置内に格納された音声を再生するためのスピーカ１５７、及び音声アナログデジタル変換装置１５９を外付けする。この音声アナログデジタル変換装置１５９は、マイク１５５から入力された音声を装置に最適なレベル、形式にアナログデジタル変換し送出し、また装置から出力された音声データをデジタルアナログ変換しスピーカ１５７に送出する。
【００９７】
図２は、図１におけるシステム制御回路５０により実行される撮影処理の手順の流れを示すフローチャートである。
【００９８】
図２において、まず、電池交換等の電源投入の際にフラグや制御変数等を初期化することにより、デジタルカメラ１００の各部において必要な所定の初期設定を行う（ステップＳ２０１）。
【００９９】
次に、電源スイッチ７２によりデジタルカメラ１００の電源がオンオフいずれに設定されたかを判断する（ステップＳ２０２）。その結果、電源オフに設定されている場合は（ステップＳ２０２でＮＯ）、終了処理を行い（ステップＳ２０３）、ステップＳ２０２の処理に戻る。ここで、本実施の形態において、終了処理とは、画像表示部２８による画像表示の終了、フラグや制御変数等を含む必要なパラメータや設定値及び設定モードの不揮発性メモリ５６への記録、電源制御部８０によるデジタルカメラ１００各部の電源の遮断等をいう。
【０１００】
一方、電源スイッチ７２により電源オンに設定されている場合（ステップＳ２０２でＹＥＳ）、電源制御部８０により電池等により構成される電源装置８６の残容量や動作情況がデジタルカメラ１００の動作に問題があるか否かを判断する（ステップＳ２０４）。この判断の結果、問題があるならば（ステップＳ２０４でＹＥＳ）、表示部５４を用いて画像や音声により所定の警告表示を行った後に（ステップＳ２０５）、ステップＳ２０２の処理に戻る。
【０１０１】
一方、電源装置８６の残容量等に問題が無いならば（ステップＳ２０４でＮＯ）、ステップＳ２０６の処理に進む。
【０１０２】
その後、記録媒体２００，２１０で記録されている画像データの記録再生動作に問題があるか否かを判断する（ステップＳ２０６）。この判断は、具体的には、装着されている場合は記録媒体２００，２１０に記録された画像データの管理情報、記録媒体２００，２１０の動作状態、及びデジタルカメラ１００の動作状態を取得することにより行なわれる。
【０１０３】
上記判別の結果、記録再生動作に問題がある場合（ステップＳ２０６でＮＯ）、表示部５４を用いて画像や音声により所定の警告表示を行い（ステップＳ２０５）、その後ステップＳ２０２の処理に戻る。
【０１０４】
一方、記録再生動作に問題が無い場合（ステップＳ２０６でＹＥＳ）、電子ファインダーモードに移行する（ステップＳ２０７）。ここで、電子ファインダーモードとは、以下の処理を行うモードである。まず、シャッター１２を開いた状態で、タイミング発生回路１８を介して撮像部１４のライン間引きやライン加算などの方法で読み出し画素数をファインダー表示に適したライン数の信号に減らす。次に、ファインダー動画として必要なレートに速めるファインダーモード駆動を行い、撮像部１４から読み出した信号をＡ／Ｄ変換器１６、メモリ制御回路２２を介してメモリ３０に画像データを書き込む露光処理を行う。その後、露光処理で書き込まれた画像データに対して画像処理回路２０やメモリ制御回路２２において演算する現像処理を行う。最後に、その演算処理後の画像データをファインダー画像として逐次表示を行う。
【０１０５】
その後、シャッタースイッチ（ＳＷ１）６２により、所定時間内にシャッターボタンがＯＮとなったか否かを検出し、ＯＮが検出されなかったときは（ステップＳ２０８でＮＯ）、ステップＳ２０２の処理に戻る。
【０１０６】
一方、シャッターボタンのＯＮが検出されたときは（ステップＳ２０８でＹＥＳ）、モードダイアルスイッチ６０の状態が静止画撮影モードであるか動画撮影モードであるかを検知する（ステップＳ２０９）。この検知の結果、モードダイアルスイッチ６０の状態が静止画撮影モードであるときは（ステップＳ２０９でＹＥＳ）、動画モードフラグをリセットし（ステップＳ２１１）、ステップＳ２１２の処理に進む。一方、モードダイアルスイッチ６０の状態が動画撮影モードであるときは（ステップＳ２０９でＮＯ）、動画モードフラグをセットし（ステップＳ２１０）、ステップＳ２１２の処理に進む。
【０１０７】
その後、ステップＳ２１２において、測距、測光、ＷＢ（ホワイトバランス）検知を行う。具体的には、測距処理により撮影レンズ３１０の焦点を被写体に合わせ、測光処理により絞り値（Ａｖ値）及びシャッター時間（Ｔｖ値）を決定し、その後ＷＢ処理が行われる。また、かかる処理の際のシステム制御回路５０と絞り制御部３４０或いは測距制御部３４２との間の各種信号のやり取りは、インタフェース１２０、コネクタ１２２、コネクタ３２２、インタフェース３２０、レンズシステム制御回路３５０を介して行われる。
【０１０８】
さらに、上記測距、測光を行った後、撮像部１４、測距部４２、及び測距制御部３４２を用いて、ＡＦ（オートフォーカス）処理を開始する。ここで、ＡＦ処理とは、レンズ３１０に入射した光線を、絞り３１２、レンズマウント３０６，１０６、ミラー１３０、不図示の測距用サブミラーを介して、測距部４２に入射させることにより、光学像として結像された画像の合焦状態を判断する処理をいう。この処理は、測距（ＡＦ）が合焦と判断されるまで、測距制御部３４２を用いてレンズ３１０を駆動し、測距部４２を用いて合焦状態を検出されるまで行われる。
【０１０９】
その後、上記ＡＦ処理により、合焦状態が検出されたとき、システム制御回路５０は、撮影画面内複数の測距点の中から合焦した測距点を決定する。この決定された測距点データと共に測距データ及び或いは設定パラメータは、システム制御回路５０の内部メモリ（不図示）或いはメモリ５２に記憶される。
【０１１０】
続いて、システム制御回路５０は、測光部４６を用いて、ＡＥ（自動露出）処理を開始する。ここで、ＡＥ処理とは、具体的には以下の処理をいう。まず、レンズ３１０に入射した光線を、絞り３１２、不図示の測光用レンズを介して、測光部４６に入射させる。次に、測光部４６に入射させた光線から画像の露出状態を測定する。この測定の結果、露出（ＡＥ）が適正と判断されるまで、シャッター制御部４０を用いて測光処理を行う。
【０１１１】
上記ＡＥ処理により、露出が適正であると判断されたとき、システム制御回路５０は、測光データ及び或いは設定パラメータをシステム制御回路５０の内部メモリ或いはメモリ５２に記憶する。さらに、測光処理Ｓ２１２で検出した露出結果に応じて、感度値（Ｄｖ値）、絞り値（Ａｖ値）、シャッター速度（Ｔｖ値）を決定する。
【０１１２】
また、決定されたシャッター速度（Ｔｖ値）に応じて、システム制御回路５０は、撮像部１４の電荷蓄積時間を決定する。さらに、システム制御回路５０は、決定された感度値（Ｄｖ値）に応じて、Ａ／Ｄ変換器１６の入力Ｄレンジを決定する。
【０１１３】
次に、システム制御回路５０は、上記ＡＦ処理及びＡＥ処理後に、画像処理回路２０において撮像した画像データを用いて所定の演算処理を行う。その後、システム制御回路５０は、得られた演算結果に基づいてＷＢ処理のためのＷＢ設定パラメータをシステム制御回路５０の内部メモリ或いはメモリ５２に記憶する。
【０１１４】
上記ステップＳ２１２の処理に引き続き、シャッターボタンの操作完了によりシャッタースイッチ（ＳＷ２）６４のオンとなったことが検出されたときは（ステップＳ２１３でＹＥＳ）、動画モードフラグのオンオフを確認する（ステップＳ２１４）。本実施の形態では、実際に動画撮影を行う場合に動画モードフラグがオンであって以下の動画撮影処理を行うが、撮影準備のための被写体を表示しながら動画撮影を行う際も、以下の動画撮影処理と同様の処理を行うようにしてもよい。
【０１１５】
上記動画モードフラグがオフであるときは（ステップＳ２１４でＮＯ）、静止画撮影処理を行った後（ステップＳ２１６）、ステップＳ２０２の処理に戻る。一方、上記動画モードフラグがオンであるときは（ステップＳ２１４でＹＥＳ）、動画撮影処理を行った後（ステップＳ２１７）、ステップＳ２０２の処理に戻る。
【０１１６】
一方、シャッタースイッチ（ＳＷ２）６４がオフであることが検出されたときは（ステップＳ２１３でＮＯ）、シャッターボタンがユーザの手から離れ、シャッタースイッチ（ＳＷ１）６２がＯＦＦとなったか否かを検出する（ステップＳ２１５）。その後、シャッタースイッチ（ＳＷ１）６２がＯＦＦなるまで（ステップＳ２１５でＹＥＳ）、ステップＳ２１３からの処理を繰り返した後、ステップＳ２０２の処理に戻る。
【０１１７】
図３は、システム制御回路５０により実行される図２のステップＳ２１６の静止画撮影処理の手順の流れを示すフローチャートである。
【０１１８】
本処理におけるシステム制御回路５０と絞り制御部３４０或いは測距制御部３４２との間の各種信号のやり取りは、インタフェース１２０、コネクタ１２２、コネクタ３２２、インタフェース３２０、レンズシステム制御回路３５０を介して行われる。
【０１１９】
図３において、まず、撮影条件の設定を行う（ステップＳ３０１）。ここでは、具体的には、システム制御回路５０の内部メモリ或いはメモリ５２に記憶される絞り値（Ａｖ値）、シャッター速度（Ｔｖ値）などの露出条件や測光データに従い、絞り制御部３４０によって絞り３１２を所定の絞り値まで駆動する。
【０１２０】
次に、タイミング発生回路１８のＣＣＤ駆動モードを設定（ステップＳ３０２）、及び電子シャッターの設定を行い（ステップＳ３０３）、その後、撮像部１４のＣＣＤに電荷蓄積を開始する（ステップＳ３０４）。この電荷蓄積より撮像部１４の露光が開始する。
【０１２１】
その後、測光データに従って撮像部１４の露光の終了を待って、シャッター制御部４０によりシャッター１２を閉じ（ステップＳ３０５）、撮像部１４のＣＣＤの電荷蓄積を終了する（ステップＳ３０６）。これにより、撮像部１４の露光が終了する。
【０１２２】
その後、撮像信号の読み出しを行う（ステップＳ３０７）。具体的には、撮像部１４から電荷信号を読み出し、Ａ／Ｄ変換器１６、画像処理回路２０、メモリ制御回路２２を介して（或いはＡ／Ｄ変換器１６から直接メモリ制御回路２２を介して）撮像信号を取得する。
【０１２３】
次に、上記撮像信号をメモリ３０の所定領域に撮影静止画像データとして書き込む、静止画記録処理を行った後（ステップＳ３０８）、静止画撮影処理（ステップＳ２１６）を終了して、図２の撮影処理に戻る。
【０１２４】
ここで、ステップＳ３０８の静止画記録処理は、システム制御回路５０は、メモリ３０の所定領域へ画像データを書き込むだけでない。具体的には、まず、その書き込まれた画像データの一部をメモリ制御回路２２を介して読み出す。その後、現像処理を行うために必要なＷＢ（ホワイトバランス）積分演算処理、ＯＢ（オプティカルブラック）積分演算処理を行い、演算結果をシステム制御回路５０の内部メモリ或いはメモリ５２に記憶する。
【０１２５】
さらに、システム制御回路５０は、メモリ制御回路２２（必要に応じて画像処理回路２０も）を用いて、メモリ３０の所定領域に書き込まれた画像データを読み出して、各種処理も行う。具体的には、システム制御回路５０の内部メモリ或いはメモリ５２に記憶した演算結果を用いて、ＡＷＢ（オートホワイトバランス）処理、ガンマ変換処理、色変換処理を含む各種現像処理が行われる。
【０１２６】
また、システム制御回路５０は、メモリ３０の所定領域に書き込まれた画像データを読み出して、設定したモードに応じた画像圧縮処理を圧縮・伸長回路３２により行う。さらに、その圧縮・伸長された画像データをメモリ３０の画像記憶バッファ領域の空き領域に書き込む処理も行う。
【０１２７】
システム制御回路５０は、その後、図２の撮影処理によりメモリ３０の画像記憶バッファ領域に記憶された画像データに対して、インタフェース９０，９４、及びコネクタ９２，９６を介して、記録媒体２００，２１０へ書き込む以下の記録処理を開始する。
【０１２８】
この記録処理は、メモリ３０の画像記憶バッファ領域の空き領域に、上記撮影処理により画像データが新たに撮影される度に、その画像データに対して実行される。
【０１２９】
なお、記録媒体２００，２１０へ画像データの書き込みを行っている間、書き込み動作中であることを明示するために、表示部５４において例えばＬＥＤを点滅させる等の記録媒体書き込み動作表示を行う。また、記録媒体２００，２１０に記録される画像データを画像表示部２８に適した画像サイズにリサイズした画像を別途生成し、これをあらかじめ決められた撮影画像表示時間だけ画像表示部２８に画像表示する。
【０１３０】
次に、図２のステップＳ２１７の動画撮影処理について説明する。
【０１３１】
図４は、図１のアナログ撮像信号領域１５及びタイミング発生回路１８の内部構成を示すブロック図である。
【０１３２】
図４において、アナログ撮像信号処理領域１５は、ＣＣＤ１４ａ及びＣＣＤ１４ａからのＣＣＤ出力信号を処理する撮像回路１４ｂとを備える撮像部１４と、Ａ／Ｄ変換器１６とを備える。
【０１３３】
また、画像処理部２０、メモリ制御部２２、画像表示メモリ２４を構成し、デジタル変換された撮像信号を、記憶媒体に記憶したり、液晶モニタに表示したりする信号処理部２０ａを備える。
【０１３４】
さらに、タイミング発生回路１８は、発振回路（ＯＳＣ１）１８ａと、同期信号発生器（ステップＳＳＧ）５０ａと、発振回路（ＯＳＣ２）５０ｂとを備える。
【０１３５】
デジタルカメラ１００は、さらに発振回路（ＯＳＣ１）１８ａ及びＣＣＤ１４と接続するＶドライバ１４ｂを備える。
【０１３６】
発振回路１８ａは、タイミング発生回路１８の動作クロックを供給し、発振回路１８ａはシステム制御回路５０の動作クロックを供給する。
【０１３７】
システム制御回路５０（駆動周期設定部）は、同期信号発生器５０ａで生成する水平同期信号（ＨＤ）および垂直同期信号（ＶＤ）の周期数を設定する。
【０１３８】
同期信号発生器５０ａは、上記設定された周期数の水平同期信号および垂直同期信号をタイミング発生回路１８に供給する。
【０１３９】
タイミング発生回路１８は、同期信号発生器５０ａより供給された水平同期信号（ＨＤ）および垂直同期信号（ＶＤ）に同期して、ＣＣＤ１４ａの駆動パルスをＶドライバ１４ｂに供給する。Ｖドライバ１４ｂはその駆動パルスを電圧変換した後にＣＣＤ１４ａに供給する。本実施の形態においては、上記フィールド信号の水平ライン出力用の駆動パルスとして駆動パルスＨ１，Ｈ２がＣＣＤ１４ａに供給される。また、上記フィールド信号の垂直ライン出力用の駆動パルスとして駆動パルスＶがＣＣＤ１４ａに供給される。
【０１４０】
タイミング発生回路１８は、撮像回路１４ｂ、Ａ／Ｄ変換器１６、デジタル信号処理部２０ａに対して、それぞれ、サンプリングクロック信号を供給し、また、同期信号発生器５０ａに対して動作クロック（ＴＧＣＬＫ）を供給する。
【０１４１】
一方、同期信号発生器５０ａは、水平同期信号（ＨＤ）および垂直同期信号（ＶＤ）を生成してタイミング発生回路１８に供給する。この水平同期信号（ＨＤ）および垂直同期信号（ＶＤ）は、同期信号発生器５０ａにおいてタイミング発生回路１８からの動作クロックを所定数だけ計数して生成される。
【０１４２】
システム制御回路５０は、同期信号発生器５０ａに対して、水平同期信号（ＨＤ）および垂直同期信号（ＶＤ）の発生の有無や、周期設定等を行うとともに、デジタル信号処理部２０ａの動作を制御している。
【０１４３】
次に本発明の実施の形態にかかる動画撮影処理における電流負荷変動の周波数分散について説明する。
【０１４４】
図５は、図２のステップＳ２１７の動画撮影処理における水平駆動周波数の変更タイミングを説明するのに用いられるタイミングチャートである。
【０１４５】
図５において、デジタルカメラ１００の水平系タイミング信号の全てを制御するＨＤ周期は、撮像部１４から出力されたフィールド信号の水平ライン出力用の駆動パルスＨ１，Ｈ２のブランキング期間及び画素読み出し期間で構成される。ここで、ブランキング期間とは、タイミング発生回路１８からＣＣＤ１４ａへの駆動パルスＨ１，Ｈ２の供給が停止している期間をいう。また、画素読み出し期間とは、駆動パルスＨ１，Ｈ２が供給されることによりＣＣＤ１４ａが駆動中となる期間をいい、より具体的には、ＯＢ期間と有効画素期間の２つの期間で構成される。ここで有効画素期間とは、撮像部１４から出力されたフィールド信号の水平ライン出力が実際に行われる期間をいい、ＯＢ期間とは駆動パルスＨ１，Ｈ２の供給開始後、ＣＣＤ１４ａが光学的に遮光される期間をいう。
【０１４６】
一方、撮像部１４から出力されたフィールド信号の垂直ライン出力用の駆動パルスＶは、ＨＤ周期を構成するブランキング期間の一定期間において、ＣＣＤ１４ａに供給されるよう制御される。つまり、駆動パルスＶのＣＣＤ１４ａへの供給制御はＨＤ周期に連動したものとなる。
【０１４７】
本実施の形態では、図５に示すように、水平ライン出力用の各駆動パルスＨ１，Ｈ２に対するＨＤ周期を周期毎に可変し、画素読み出し期間に影響を与えずに、水平ブランキング期間の長さを調整する方法を利用している。
【０１４８】
つまり、上記１水平ライン期間中のブランキング時間は、（ｔＢＬＫ１）とこの時間からΔｔだけずらした時間（ｔＢＬＫ２）とで交互に設定される。これにより、画素読み出し期間には影響を与えずに、水平ライン出力用の各駆動パルスＨ１，Ｈ２のＨＤ周期の長さを可変することができる。
【０１４９】
具体的な動作としては、図２のステップＳ２０１の初期設定において、ＣＣＤ駆動設定や水平ライン期間の周期の初期設定を行い、その後、ステップＳ２１４で動画モードフラグがＯＮであるときは、後述する図１０に示す動画撮影処理を行う。
【０１５０】
まず、撮影画像サイズや、記録される動画のフレームレートなどの撮影条件設定を行う（図１０のステップＳ２００５参照）。次に、ステップＳ２０１で設定された基準ＨＤ周期のブランキング時間（ｔＢＬＫ１）及び上記撮影条件に応じて、駆動パルス信号Ｈ１，Ｈ２の夫々に対するブランキング時間（ｔＢＬＫ２＝ｔＢＬＫ１＋Δｔ）を可変させる。その後、この可変後のブランキング時間のアクティブ期間情報を示すパルス信号（ＰＢＬＫ）をタイミング発生回路１８に送信する。
【０１５１】
タイミング発生回路１８は、システム制御回路５０からこのパルス信号（ＰＢＬＫ）を受信すると、この受信信号に基づいてＨＤ周期のブランキング期間の終了タイミングを変更する。これにより、ＣＣＤ１４ａ、撮像回路１４ｂ、Ａ／Ｄ変換器１６等にされる全ての水平系タイミング信号の駆動開始タイミングは相対的に変更する。具体的には、光学的に遮光されるＯＢ画素レベルが撮像信号の黒基準値となるように直流電圧レベルを調整するため、ＯＢ期間を示すクランプパルス信号（ＣＬＰＯＢ）のタイミング位置をパルス信号（ＰＢＬＫ）の伸張に連動した位置に変更する（図５参照）。
【０１５２】
このように、システム制御回路５０は、水平ライン出力を制御する駆動パルスＨ１，Ｈ２の夫々に対してそのブランキング期間を変更することで、ＨＤ周期を可変することができる。また、ＨＤ周期に連動した形で制御される駆動パルスＶのＣＣＤ１４ａへの供給タイミングも可変させることができる。さらには、タイミング発生回路１８で発生させる駆動パルスＨ１，Ｈ２，Ｖの駆動電流の供給を制御する電源制御部８０の電流負荷の周期を変えることができる。
【０１５３】
図６は、駆動パルスＨ１，Ｈ２，Ｖの駆動電流の供給を制御する電源制御部８０及びその周辺構成要素の詳細ブロック図である。
【０１５４】
図６において、電源制御部８０は、電源装置８６から供給される電力の電圧をタイミング発生回路１８に供給するのに最適な値に電圧変換するＤＣＤＣコントローラ４０１と、ＤＣＤＣコントローラ４０１によって制御されるスイッチ４０２とを備える。さらに、電源制御部８０は、ＤＣＤＣコントローラ４０１で電圧変換された電圧を蓄積平滑し、水平ライン出力をするためのセラミックコンデンサ４０３ａ及び垂直ライン出力するための不図示のコンデンサ４０３ｂ電流を蓄積しタイミング発生回路１８に電力を送出するためのインダクタ４０４とを備える。
【０１５５】
インダクタ４０４から送出される電力は主としてタイミング発生回路１８で消費される。また、ＤＣＤＣコントローラ４０１はタイミング発生回路１８に送出された電力が予め定められた電圧となるよう制御している。このため、タイミング発生回路１８において消費電流が増加して電圧低下が発生した場合でも、その電圧低下を補って電圧を一定に保つようにＤＣＤＣコントローラ４０１が制御する。つまり、セラミックコンデンサ４０３ａ，４０３ｂに印加される電圧は、タイミング発生回路１８の負荷電流の変動に応答する。
【０１５６】
セラミックコンデンサ４０３ａ，４０３ｂは、強誘電体セラミックから構成されており、これに電場を印加すると歪みが発生する、いわゆる電歪現象が生じる。この電歪現象が生じると、セラミックコンデンサ４０３ａ，４０３ｂが実装される基板全体が振動し、音声ノイズが生じる。
【０１５７】
尚、本実施の形態では、電源制御部８０内にセラミックコンデンサ４０３ａ，４０３ｂやインダクタ４０４が含まれていたが、これらの代わりに電源装置８６にラインに接続されているデカップリングコンデンサ、カップリングインダクタを用いてもよい。
【０１５８】
図７は、タイミング発生回路１８の負荷電流を示すタイミングチャートである。
【０１５９】
ここで、本実施の形態においては、上記音声ノイズの原因となるタイミング発生回路１８の負荷電流は主して駆動パルスＨ１，Ｈ２の駆動電流によるものであって、駆動パルスＶの駆動電流の影響は小さく無視できる。従って、以下の説明において、ＤＣＤＣコントローラ４０１から供給される駆動電流とは、駆動パルスＨ１，Ｈ２の駆動電流のみを指す。
【０１６０】
図７において、図５で上述したように、駆動パルスＨ１，Ｈ２のブランキング期間がｔＢＬＫ１からｔＢＬＫ２に変わると、ＨＤ周期がｔＨＤ１からｔＨＤ２に変わる。上記ブランキング期間中は、タイミング発生回路１８において駆動パルスＨ１，Ｈ２の駆動電流は必要ないので、ＤＣＤＣコントローラ４０１からタイミング発生回路１８に供給される駆動電流の周期も変わる。さらに、ＤＣＤＣコントローラ４０１による駆動電流の供給周期に対してΔｔｄｒだけ遅れて生じるタイミング発生回路１８への負荷電流Ｖｄｒも、その周期がＴｖＬ１からＴｖＬ２に変わる。
【０１６１】
尚、本実施の形態では、駆動パルスＨ１，Ｈ２のブランキング期間がｔＢＬＫ１,ｔＢＬＫ２の２通りに変化する場合について説明したが、ｔＢＬＫ１〜ｔＢＬＫ４の４通りに変化するようにしてもよい。また、駆動パルスＨ１，Ｈ２のブランキング期間がそれぞれ異なった変化をするようにしてもよい。
【０１６２】
このように、駆動パルスＨ１，Ｈ２のブランキング期間を変化させることで、タイミング発生回路１８に発生する電流負荷変動の周波数分散を実現できる。また、駆動パルスＶの駆動電流が、駆動パルスＨ１，Ｈ２の駆動電流と同程度ある場合であっても、上記ブランキング期間の変化によりＨＤ周期も変化する。従って、このＨＤ周期に連動する駆動パルスＶの駆動電流をＤＣＤＣコントローラ４０１が供給する際に電源制御部８０で発生する負荷電流の変動周期も変化させることができるので、上記周波数分散を確実に実現することができる。
【０１６３】
例えば、Δｔ＝（ｔＨＤ１）／２とすると、ｔＨＤ２＝ｔＩＭＧ＋ｔＢＬＫ１＋（ｔＨＤ１）／２＝１．５＊ｔＨＤ１となり、基準ＨＤ周期の期間の１．５倍の長さにすることができ、電流負荷の周期も１．５倍となる。このように、ＨＤ周期毎にそのブランキング期間を調整するΔｔの値を任意の値に変更することができるので、電源制御部８０に発生する電流負荷の周波数を確実に分散することができる。
【０１６４】
なお、本実施の形態では、画素読み出し期間に影響を与えることなく電源制御部８０に発生する電流負荷の周波数を分散させるため、各駆動パルスＨ１，Ｈ２に対するＨＤ周期のブランキング期間を調整した。このような調整を行った場合、各駆動パルスＨ１，Ｈ２に対するＨＤ周期の変更に連動して、ＣＣＤ１４ａ、撮像回路１４Ｂ、Ａ／Ｄ変換器１６等に供給する全ての水平系タイミング信号の駆動開始タイミングを変更する必要がある。
【０１６５】
しかし、本実施の形態のように、ブランキング期間を調整するだけで、全ての水平系タイミング信号のタイミングを自在に変更することができない場合も想定される。
【０１６６】
具体的には、関連する全ての水平系タイミング信号に対してタイミング発生回路１８がプログラマブルにタイミング変更可能なものであれば、駆動パルスＨ１，Ｈ２，Ｖのいずれもがブランキング期間中である間に一斉に可変することも不可能ではない。しかし、この場合、システム制御回路５０のタスクが重くなる。また、上記水平系タイミング信号の中に、タイミングが固定されており変更が不可能なものや、変更の設定を行ってもすぐには変更の効かないものがある場合、この方法を採用することはできない。
【０１６７】
以下、駆動パルスＨ１，Ｈ２毎にでなく、これらを制御するＨＤ周期を変更させる方法を、本発明の変形例として説明する。
【０１６８】
本変形例におけるＨＤ周期は、駆動パルスＨ１，Ｈ２のブランキング期間を可変にするのでなく、画素読み出し期間（ＯＢ期間＋有効画素期間）の末尾に水平ライン出力に関する空転送期間（可変期間）を追加する。
【０１６９】
ここで、水平ライン出力に関する空転送とは、ＣＣＤ１４ａの蓄積電荷がフィールド信号として全て出力された後も、駆動パルスＨ１，Ｈ２をＣＣＤ１４ａに供給し続けた場合の水平ライン出力、すなわち空読み状態での出力をいう。
【０１７０】
図８は、図２のステップＳ２１７の動画撮影処理における水平駆動周波数の変更タイミングを説明するのに用いられるタイミングチャートの変形例である。
【０１７１】
図８において、本変形例に係るＨＤ周期は、ＣＣＤ１４ａの水平ライン出力のための駆動パルスＨ１，Ｈ２のブランキング期間、画素読み出し期間（＝ＯＢ期間＋有効画素期間＋空転送期間）で構成される。例えば、初期設定により設定された有効画素期間の画素クロック数がΔｔｘである場合、有効画素期間の最後に空転送期間の画素クロック数ｎを足すことでＨＤ周期の画素読み出し期間が変更される。
【０１７２】
具体的には、システム制御回路５０は、後述する図１０のステップＳ２００５で設定された撮影条件設定中の撮影画像サイズや記録される動画のフレームレートなどに応じてＨＤ周期を設定する。次に、そのＨＤ周期に基づきタイミング発生回路１８からＣＣＤ１４ａへの駆動パルスＨ１，Ｈ２の供給を開始する。その後、現在のＨＤ周期の有効画素期間後も継続して駆動パルスＨ１，Ｈ２の供給を行い、次のＨＤ周期が開始したときに、ＣＣＤ１４ａ、撮像素子１４ｂ、Ａ／Ｄ変換器１６等に供給している全ての水平系タイミング信号の駆動開始タイミングをリセットする。
【０１７３】
これにより、システム制御回路５０で可変に設定されたＨＤ周期に応じて、駆動パルスＨ１，Ｈ２を含めた全ての全ての水平系タイミング信号の駆動タイミングが設定される。これにより、実施例に比べて、システム制御回路５０のタスクを軽くでき、また水平系タイミング信号の設定を速やか且つ確実に行うことができる。
【０１７４】
また、本変形例におけるＨＤ周期の調整は、有効画素期間における水平ライン出力が終了した後に空転送期間が始まるよう設定することで行っており、有効画素期間中に水平ライン出力を中止して空転送期間が始まるようには設定されていない。従って、空転送期間中にＣＣＤ１４ａの残留電荷が水平ライン出力として出力されることがないので、次のフィールド信号読み出し時に悪影響が生じたり、表示に寄与する本来の画像に対しても影響を与えたりすることを防止することができる。
【０１７５】
図９は、タイミング発生回路１８の負荷電流を示すタイミングチャートの変形例である。
【０１７６】
図９において、ＨＤ周期のうち、ブランキング時間を除いた時間は、ｔＩＭＧ１（＝（有効画素期間）＋（ＯＢ期間）＋（空転送期間Δｔｘ））と、ｔＩＭＧ２（＝（有効画素期間）＋（ＯＢ期間）＋（空転送期間Δｔｘ+Δｔｎ））とが交互に設定される。すなわち、空転送期間が（Δｔｎ）だけ増えることで、ＨＤ周期がｔＨＤ１からｔＨＤ２に変わる。
【０１７７】
本変形例によれば、ブランキング期間は一定であるが、ｔＩＭＧ期間を変更させる。これにより、駆動パルスＨ１，Ｈ２のドライブ電流が流れている期間を変化させることができ、この結果、タイミング発生回路１８への負荷電流Ｖｄｒが流れる周期を変えることができる。
【０１７８】
尚、本変形例では、ＨＤ周期のブランキング時間を除いた時間がｔＩＭＧ１,ｔＩＭＧ２の２通りに変化する場合について説明したが、ｔＩＭＧ１〜ｔＩＭＧ４の４通りに変化するようにしてもよい。また、駆動パルスＨ１，Ｈ２の各ＨＤ周期がそれぞれ異なった変化をするようにしてもよい。
【０１７９】
さらに、本実施の形態及びその変形例は、電源制御部８０における電流負荷の発生周期を可変させる点、並びに駆動パルスＶによって発生する電流負荷の発生期間が同じである点は同一であるが、電流負荷の発生期間は相違する。
【０１８０】
つまり、本変形例（図９）は本実施の形態（図７）より駆動パルスＨ１，Ｈ２をＣＣＤ１４ａに供給する時間が長いので、電源制御部８０における電流負荷が生じる時間は本変形例の方が本実施の形態と比べて長くなる。
【０１８１】
次に、本実施の形態並びにその変形例で説明した手法を用いて水平ラインの電流負荷周期を可変させた場合の、動画撮影処理について説明する。
【０１８２】
図１０は、システム制御回路５０により実行される図２のステップＳ２１７の動画撮影処理の手順の流れを示すフローチャートである。
【０１８３】
図１０において、まず、撮影条件の設定を行う（ステップＳ２００５）。ここでは、具体的には、撮影画像サイズの設定、記録される動画のフレームレートなどが設定される。
【０１８４】
次に、設定された撮影条件に基づいてタイミング発生回路１８で供給する駆動パルスＨ１，Ｈ２のＨＤ周期の期間を設定する（ステップＳ２００６）。具体的には、ＨＤ周期の１つ目の期間をｔＨＤ１、２つ目の期間をｔＨＤ１の２倍の２ｔＨＤ１、３つ目の期間を、再び時間ｔＨＤ１とした周期の繰り返しを設定する。尚、ステップＳ２００６におけるＨＤ周期の期間の設定は、上記設定方法に限定されるものでなく、任意に変更できるものとする。
【０１８５】
次に、フィールド信号の読み出し設定を行う（ステップＳ２００７）。具体的には、ステップＳ２００５でサイズ設定された撮影画像の光電変換を行う画素のラインとして、複数の水平ライン及び垂直ラインを設定する。
【０１８６】
その後、ＨＤ周期を設定する（ステップＳ２００８）。具体的には、駆動パルスＨ１，Ｈ２毎にそのＨＤ周期のブランキング期間を周期毎に設定する処理（図５）、又はＨＤ周期に追加した空転送期間を周期毎に設定する処理（図７）を行う。
【０１８７】
その後、この設定されたＨＤ周期で制御される駆動パルスＨ１，Ｈ２，Ｖのタイミング発生回路１８からＣＣＤ１４ａへの供給を開始する（ステップＳ２００９）。この処理は、例えば、図８で上述した変形例の場合は、以下の処理により行われる。まず、システム制御回路５０がＨＤ周期の空転転送期間を設定する。その後、同期信号発生器５０ａが、設定されたＨＤ周期に基づき水平同期信号および垂直同期信号を生成し、これらをタイミング発生回路１８に供給する。タイミング発生回路１８は、水平同期信号に同期した駆動パルスＨ１，Ｈ２および垂直同期信号に同期した駆動パルスＶを生成し、ＣＣＤ１４ａに供給する。
【０１８８】
ステップＳ２００９で供給された駆動パルスＨ１，Ｈ２，Ｖに基づき、ＣＣＤ１４ａでフィールド信号の出力が開始すると（ステップＳ２０１０でＹＥＳ）、動画撮影を開始する（ステップＳ２０１１）。この動画撮影中において、ステップＳ２００５で設定されたフレームレートに従ってＣＣＤ１４ａにより電荷が蓄積され、またマイク１５５により所定のサンプリング周波数で外部の音声が録音される。
【０１８９】
その後、１周期分の駆動パルスＨ１，Ｈ２の供給が終了すると（ステップＳ２０１２でＹＥＳ）、この供給期間中にＣＣＤ１４ａから出力されたフィールド信号（第１フィールド信号）を記録する動画記録を行う（ステップＳ２０１３）。この処理と並行して上記供給期間中にマイク１５５での音声録音処理により得られたアナログ音声データに対してＡ／Ｄ変換等の処理を行い、その後、第１フィールド信号に同期させてその処理後の音声データを記憶する。
【０１９０】
その後、動画撮影が終了するまで（ステップＳ２０１４でＮＯ）、ステップＳ２０１２からの処理を繰り返す。
【０１９１】
一方、動画撮影が終了すると（ステップＳ２０１４でＹＥＳ）、タイミング発生回路１８からＣＣＤ１４ａへの駆動パルスＨ１，Ｈ２，Ｖの供給を終了し（ステップＳ２０１５）、図２の撮影処理に戻る。
【０１９２】
本処理では、駆動パルスＨ１，Ｈ２が供給されている間（ステップＳ２００９〜Ｓ２０１５）、動画撮影及びマイク１５５による外部音声の録音が行われている（ステップＳ２０１１〜Ｓ２０１４）。このため、駆動パルスＨ１，Ｈ２の供給中に発生するセラミックコンデンサ４０３ａ，４０３ｂが原因の音声ノイズがステップＳ２０１３で記録された音声データ中に混ざることとなる。
【０１９３】
次に、上記マイク１５５で録音される音声ノイズについて説明する。
【０１９４】
図１１は、図１０の動画撮影処理の際に録音された音声のスペクトラムを示すグラフであり、縦軸は音圧を、横軸は周波数を示す。
【０１９５】
図１１において、図１０の動画撮影処理の際に録音された音声のスペクトラムは、マイク１５５による音声録音周波数を示す音声録音帯域７０１と、録音音声をアナログデジタル変換装置１５９でＡ／Ｄ変換する際のナイキスト周波数７０２とを有する。さらに、このスペクトラムは、マイク１５５が音声を録音する際のサンプリング周波数７０３と、図５，７で上述したいずれかの手法で行う周波数シフト前後のＨＤ周期の周波数７０４，７０５とを有する。
【０１９６】
音声ノイズは、図６で上述したように、タイミング発生回路１８の負荷電流の変動で、セラミックコンデンサ４０３ａ，４０３ｂに電歪現象が生じることにより発生する。ここで、本実施の形態において、タイミング発生回路１８が供給する電流は、主として駆動パルスＨ１，Ｈ２の駆動電流である。また、これらの駆動電流の負荷の周期は１周期毎にシフトするＨＤ周期である。従って、音声ノイズ周波数７０４は上記周波数７０４，７０５に略一致する。
【０１９７】
ここで、音声の周波数スペクトルを全体の時間で重み付けすると、周波数７０４，７０５に略一致する音声ノイズの発生時間は、従来のようにＨＤ周期がシフトしない場合の半分となる。つまり、音声ノイズのエネルギは、従来の場合と同一であるが周波数分散されるので、聞こえ方としてノイズを低減することができる。また、周波数７０４，７０５に略一致する音声ノイズのピーク値は、従来の場合の半分になるので、音声ノイズのピーク値が一定以上のときに顕著に録音するという特性をマイク１５５が有している場合には、録音される音声ノイズを確実に低減できる。
【０１９８】
以上、本実施の形態では、動画撮影処理における音声ノイズ低減手法について述べたが、本手法は動画撮影処理の場合に限定されるものではなく、例えば、電子ファインダーモードにおける処理の場合にも適用することもできる。
【０１９９】
また、本処理は、ＨＤ周期を変更することで音声ノイズを低減させるようにしたが、これに限定されない。例えば、水平ライン出力の電流負荷に対して、垂直ライン出力の電流負荷が大きい又は同等である場合は、ＨＤ周期だけでなくＶＤ周期も同様に変更するようにしてもよい。
【０２００】
また、本発明で行なわれる制御はハードウェア回路で行ってもよくて、また、制御の一部または全部をソフトウェアで行ってもよい。
【０２０１】
また、本発明の目的は、以下の処理を実行することによって達成してもよい。即ち、上述した実施形態の機能を実現するソフトウェアのプログラムコードを記録した記憶媒体を、システム或いは装置に供給し、そのシステム或いは装置のコンピュータ（またはＣＰＵやＭＰＵ等）が記憶媒体に格納されたプログラムコードを読み出す処理である。
【０２０２】
この場合、記憶媒体から読み出されたプログラムコード自体が前述した実施の形態の機能を実現することになり、そのプログラムコード及び該プログラムコードを記憶した記憶媒体は本発明を構成することになる。
【０２０３】
また、プログラムコードを供給するための記憶媒体としては、次のものを用いることができる。例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等である。または、プログラムコードをネットワークを介してダウンロードしてもよい。
【０２０４】
また、コンピュータが読み出したプログラムコードを実行することにより、上記実施の形態の機能が実現される場合も本発明に含まれる。加えて、そのプログラムコードの指示に基づき、コンピュータ上で稼動しているＯＳ（オペレーティングシステム）等が実際の処理の一部または全部を行い、その処理によって前述した実施形態の機能が実現される場合も含まれる。
【０２０５】
更に、前述した実施形態の機能が以下の処理によって実現される場合も本発明に含まれる。即ち、記憶媒体から読み出されたプログラムコードが、コンピュータに挿入された機能拡張ボードやコンピュータに接続された機能拡張ユニットに備わるメモリに書き込まれる。その後、そのプログラムコードの指示に基づき、その機能拡張ボードや機能拡張ユニットに備わるＣＰＵ等が実際の処理の一部または全部を行う場合である。
【図面の簡単な説明】
【０２０６】
【図１】本発明の実施の形態に係る撮像装置としてのデジタルカメラを概略的に示すブロック図である。
【図２】図１におけるシステム制御回路により実行される撮影処理の手順の流れを示すフローチャートである。
【図３】システム制御回路により実行される図２のステップＳ２１６の静止画撮影処理の手順の流れを示すフローチャートである。
【図４】図１のアナログ撮像信号領域及びタイミング発生回路の内部構成を示すブロック図である。
【図５】図２のステップＳ２１７の動画撮影処理における水平駆動周波数の変更タイミングを説明するのに用いられるタイミングチャートである。
【図６】駆動パルスＨ１，Ｈ２，Ｖの駆動電流の供給を制御する電源制御部及びその周辺構成要素の詳細ブロック図である。
【図７】タイミング発生回路の負荷電流を示すタイミングチャートである。
【図８】図２のステップＳ２１７の動画撮影処理における水平駆動周波数の変更タイミングを説明するのに用いられるタイミングチャートの変形例である。
【図９】タイミング発生回路の負荷電流を示すタイミングチャートの変形例である。
【図１０】システム制御回路により実行される図２のステップＳ２１７の動画撮影処理の手順の流れを示すフローチャートである。
【図１１】図１０の動画撮影処理の際に録音された音声のスペクトラムを示すグラフであり、縦軸は音圧を、横軸は周波数を示す。
【図１２】従来のデジタルカメラの撮像部を概略的に示すブロック図である。
【図１３】図１２における撮像回路の内部構成を詳細に示すブロック図である。
【図１４】デジタルカメラを構成する回路間で送受信される主要な信号のタイミングチャートを示す図である。
【図１５】従来の動画撮影処理における水平駆動周波数を説明するのに用いられるタイミングチャートである。
【図１６】タイミング発生器の電源から音声ノイズが発音する原理を説明するのに用いられる図であって、（ａ）はタイミング発生器及び電源の詳細ブロック図を示し、（ｂ）はタイミング発生器の消費電流パターンを示す。
【図１７】デジタルカメラによる動画撮影処理の際に録音された音声のスペクトラムを示すグラフであり、縦軸は音圧を、横軸は周波数を示す。
【符号の説明】
【０２０７】
１００  デジタルカメラ
１４  撮像部
１５  アナログ撮像信号領域
１６  Ａ／Ｄ変換器
５０  システム制御回路
１８  タイミング発生回路
８０  電源制御部
８６  電源装置
【図１】
2009071426.tif 000003
【図２】
2009071426.tif 000004
【図３】
2009071426.tif 000005
【図４】
2009071426.tif 000006
【図５】
2009071426.tif 000007
【図６】
2009071426.tif 000008
【図７】
2009071426.tif 000009
【図８】
2009071426.tif 000010
【図９】
2009071426.tif 000011
【図１０】
2009071426.tif 000012
【図１１】
2009071426.tif 000013
【図１２】
2009071426.tif 000014
【図１３】
2009071426.tif 000015
【図１４】
2009071426.tif 000016
【図１５】
2009071426.tif 000017
【図１６】
2009071426.tif 000018
【図１７】
2009071426.tif 000019